(57)【特許請求の範囲】
【請求項１】
一端に操作つまみが取り付けられる軸状の操作ロッドを備え、操作つまみがガスバーナへのガスの供給が停止される消火位置から回動することによって操作ロッドを回動させ、操作つまみを点火位置まで回動すると、操作ロッドに取り付けたカムが点火用のマイクロスイッチをオンにする火力調節装置において、上記カムを、操作ロッドに固定される平板部とこの平板部の外周縁から立ち上がるカム面部とを有するように板金加工により形成し、このカム面部が平板部から上記操作ロッドの一端に向かって立ち上がるように、カムを操作ロッドに取り付け、さらに、カムが操作ロッドの一端側に移動することを防止する留め具を、操作ロッドの一端側から取り付けるものであり、上記留め具を上記操作ロッドに取り付けた状態で、この留め具が上記カム面部で囲まれる空間内に収まるようにしたことを特徴とする火力調節装置。
【発明の詳細な説明】
【技術分野】
【０００１】
本発明は、ガスバーナに供給されるガスの流量を増減して火力を調節すると共に、ガスバーナに点火するためのマイクロスイッチを備えた火力調節装置に関する。
【背景技術】
【０００２】
火力調節装置内に閉子と呼ばれるテーパ状の部材を設け、この閉子を回動させることによってガスの流量を増減するガスコックと呼ばれる火力調節装置が知られている。このようなタイプの火力調節装置では、閉子を外部から回動させるため、他端が閉子に係合する操作ロッドを設け、その操作ロッドの外部側の一端に操作つまみを取り付け、操作つまみを回動することによって操作ロッドを介して閉子を回動させるようにしている。
【０００３】
また、閉子を回動させて点火に必要なガスがガスバーナに供給される開度になると、ガスバーナの近傍に配置したスパーカを作動させてガスバーナに点火をする必要がある。そのため、操作ロッドの近傍に点火用のマイクロスイッチを設け、閉子の回動角度が点火に必要なガスが供給される開度になると、この点火用のマイクロスイッチをオンさせるためのカムを操作ロッドに取り付けている（例えば、特許文献１参照）。
【先行技術文献】
【特許文献】
【０００４】
【特許文献１】特開２００１−３３０３４号公報（図１）
【発明の概要】
【発明が解決しようとする課題】
【０００５】
上記従来の点火装置では、点火操作時には消火位置で操作つまみを押し込み、操作ロッドを回転軸線に沿って移動させ、その状態で操作つまみを回動する。このように操作ロッドを移動させるとカムが操作ロッドと共に移動するので、カムが移動した状態でもマイクロスイッチをオンにすることができるよう、カムは操作ロッドの回転軸線に沿ってある程度の厚みを必要とする。さらにカムが脱落しないように操作ロッドに留め具を取り付けると、カムの厚さに加えて留め具のためのスペースも必要となり、操作ロッドが長くなってしまうという不具合が生じる。
【０００６】
そこで本発明は、上記の問題点に鑑み、操作ロッドの長さを可及的に短くすることのできる火力調節装置を提供することを課題とする。
【課題を解決するための手段】
【０００７】
上記課題を解決するために本発明による火力調節装置は、一端に操作つまみが取り付けられる軸状の操作ロッドを備え、操作つまみがガスバーナへのガスの供給が停止される消火位置から回動することによって操作ロッドを回動させ、操作つまみを点火位置まで回動すると、操作ロッドに取り付けたカムが点火用のマイクロスイッチをオンにする火力調節装置において、上記カムを、操作ロッドに固定される平板部とこの平板部の外周縁から立ち上がるカム面部とを有するように板金加工により形成し、このカム面部が平板部から上記操作ロッドの一端に向かって立ち上がるように、カムを操作ロッドに取り付け、さらに、カムが操作ロッドの一端側に移動することを防止する留め具を、操作ロッドの一端側から取り付けるものであり、上記留め具を上記操作ロッドに取り付けた状態で、この留め具が上記カム面部で囲まれる空間内に収まるようにしたことを特徴とする。
【０００８】
カムのカム面部を平板部から立ち上げたので、従来のカムと同等の厚みをカム面部に持たせることができる。そして、カム面部に囲まれた空間は中空であるので、留め具がその中空の空間内に入り、その結果、カムと留め具のために必要な高さが短くできる。
【０００９】
さらに、上記留め具を上記操作ロッドに取り付けた状態で、この留め具が上記カム面部で囲まれる空間内に収まるようにした。
【発明の効果】
【００１０】
以上の説明から明らかなように、本発明は、カムのカム面部の内側に留め具が入り込むので、操作ロッドの長さを可及的に短くすることができる。
【図面の簡単な説明】
【００１１】
【図１】本発明の火力調節装置が適用されるガスコンロの外観図
【図２】本発明による火力調節装置の外観図
【図３】カムの取り付け状態を示す分解図
【図４】カムの形状の詳細を示す平面図
【図５】カムの回転とマイクロスイッチの作動との関係を示す図
【図６】カムの取り付け状態を示す断面図
【発明を実施するための形態】
【００１２】
図１に示すＳは本発明による火力調節装置が適用されるガスコンロである。このガスコンロＳの天板には左右２個のガスバーナＢが設けられており、各ガスバーナＢの火力調節および点消火は、同じく天板上に設けた操作つまみＮを回動操作することによって行う。なお、両バーナＢは共に、大型のガスバーナと小型のガスバーナとが上下方向に積まれた、いわゆる親子バーナである。
【００１３】
図２を参照して、１は本発明による火力調節装置の一例である。この火力調節装置１には上方に向かって突出する操作ロッド２が設けられている。この操作ロッド２の上端には上記操作つまみＮが取り付けられ、この火力調節装置１によって火力調節されるガスバーナＢが消火状態から点火され、さらに点火されたガスバーナの火力を調節し、最後にガスバーナを消火するまでの一連の操作を、操作つまみを操作することにより行う。
【００１４】
図３を合わせて参照して、操作つまみが消火位置にある状態で操作つまみを下方に押し下げると、連動板１１が操作ロッド２と共に下方に移動する。そして、この連動板１１の下降によってマイクロスイッチ１２がオンになり、図外の制御装置は操作つまみが押し下げられたことを検知する。
【００１５】
その押し下げた状態のまま操作つまみを反時計回りに約９０度回動して、操作つまみを点火位置に移動させると、操作ロッド２と共に回動するカム４によって点火用のマイクロスイッチ３がオンする。すると、上記制御装置がガスバーナの近傍に設置してあるスパーカを作動させてガスバーナに点火を行う。
【００１６】
このカム４は従来は樹脂製で上下方向に厚みを有していたが、本実施の形態では、このカム４を板金加工により形成した。
【００１７】
図４および図５を参照して、鉄製の板材を所定の形状に打ち抜き、その後絞り加工によってカム面部４２を立ち上げて形成している。このカム面部４２は平板部４１の周縁から立ち上がっており、中央には操作ロッド２が貫通する取付穴４３が設けられている。操作ロッド２には面取りが施されており、その面取りされた部分に係合部４３ａが係合して操作ロッド２に対してカム４の回り止めがされる。そのため、操作ロッド２が回動するとカム４も同じく回動する。
【００１８】
上記消火位置では、図５（ａ）に示すように、マイクロスイッチ３の可動部３１をカム面部４２が押し込んでいないので、マイクロスイッチ３はオフの状態にある。この状態から操作つまみを点火位置まで押し下げながら回動すると、同図（ｂ）に示すように、カム面部４２が可動部３１を押し込んでマイクロスイッチ３はオン状態になる。
【００１９】
なお、このカム４は上記のように操作ロッド２に嵌め込まれているが、そのままでは上方に移動するおそれがある。そこで、カム４を操作ロッド２に嵌め込んだ後、プッシュナット５を操作ロッド２に嵌着してカム４が移動しないようにした。
【００２０】
図６に示すように、上記カム４には平板部４１から立ち上がったカム面部４２が設けられているので、プッシュナット５はカム面部４２によって囲まれる空間内に収納され、カム面部４２の上縁より上方にプッシュナット５が顔を出すことがない。これにより留め具であるプッシュナット５のための空間をカム面部４２の上方に別途設ける必要がないので、操作ロッド２の長さを可及的に短くすることができる。
【００２１】
したがって、上記図１に示したように、天板に操作つまみＮを設けるタイプのガスコンロＳでは、本発明による火力調節装置を用いると、ガスコンロＳの上下方向の寸法を短くすることができるので、ガスコンロＳを小型化することができる。
【００２２】
なお、本発明は上記した形態に限定されるものではなく、本発明の要旨を逸脱しない範囲内において種々の変更を加えてもかまわない。
【符号の説明】
【００２３】
１  火力調節装置
２  操作ロッド
３  マイクロスイッチ
４  カム
５  プッシュナット
４１  平板部
４２  カム面部
Ｓ  ガスコンロ
Ｂ  ガスバーナ
Ｎ  操作つまみ
【図１】
0006271455.tif 000002
【図２】
0006271455.tif 000003
【図３】
0006271455.tif 000004
【図４】
0006271455.tif 000005
【図５】
0006271455.tif 000006
【図６】
0006271455.tif 000007